(57)【要約】【課題】  ユーザ操作によって選択された解像度に調整された画像データをＤＶＤプレーヤからディスプレイ装置に正確に送信すること。【解決手段】  所定の解像度に調整された画像データをディスプレイ装置に送信し、ディスプレイ装置とＨＤＣＰ第３認証を実行することによって、ディスプレイ装置が正確に受信、復号化可能な解像度を判別することができる。そして、ＨＤＣＰ第３認証に成功した解像度のみをユーザ操作によって設定可能にすることによって、ユーザ操作によって設定された解像度に調整された画像データはディスプレイ装置によって確実に受信及び復号化することができる。【選択図】図２
2010041091.tif 000002
【特許請求の範囲】
【請求項１】
画像受信装置に接続する接続手段と、
前記画像受信装置に画像データを送信する送信手段と、
複数の送信クロック周波数設定値について、各送信クロック周波数設定値に調整された画像データを前記送信手段が送信することにより、前記画像受信装置と前記送信クロック周波数設定値に調整された画像データに基づいた認証を実行する認証手段と、
前記認証手段による認証によって、認証に成功した前記送信クロック周波数設定値をユーザ操作によって設定可能にすると共に、認証に失敗した前記クロック周波数設定値をユーザ操作によって設定不可能にする設定可能化手段とを備える、画像送信装置。
【請求項２】
前記認証手段が、前記画像受信装置とＨＤＣＰ第３認証を実行する、請求項１に記載の画像送信装置。
【請求項３】
前記送信クロック周波数設定値が、解像度及び色深度の少なくとも一方を含む、請求項１または２に記載の画像送信装置。
【請求項４】
前記画像受信装置から前記画像受信装置が対応可能な送信クロック周波数設定値を取得する取得手段をさらに備え、
前記認証手段が、前記画像受信装置が対応可能な送信クロック周波数設定値と、前記画像送信装置が対応可能な送信クロック周波数設定値とに共通する送信クロック周波数設定値について、前記認証を前記画像受信装置と実行する、請求項１〜３のいずれかに記載の画像送信装置。
【請求項５】
画像受信装置に接続する接続ステップと、
前記画像受信装置に画像データを送信する送信ステップと、
複数の送信クロック周波数設定値について、各送信クロック周波数設定値に調整された画像データを前記送信ステップが送信することにより、前記画像受信装置と前記送信クロック周波数設定値に調整された画像データに基づいた認証を実行する認証ステップと、
前記認証ステップによる認証によって、認証に成功した前記送信クロック周波数設定値をユーザ操作によって設定可能にすると共に、認証に失敗した前記クロック周波数設定値をユーザ操作によって設定不可能にする設定可能化ステップとをコンピュータに実行させる、画像送信装置の動作プログラム。
【発明の詳細な説明】
【技術分野】
【０００１】
本発明は、画像受信装置に画像データを送信する画像送信装置に関する。
【背景技術】
【０００２】
最近、ＨＤＭＩ規格に準拠したソース機器（画像送信装置）であるＤＶＤプレーヤと、シンク機器（画像受信装置）であるディスプレイ装置とを備える画像送受信システムが利用されており、ソース機器から出力されるＨＤＭＩデータに映像データ及び音声データを含めることにより、１本のＨＤＭＩケーブルによって映像データ及び音声データの両方をシンク機器に送信することができる。ディスプレイ装置は、受信したＨＤＭＩデータを元の映像データに変換して表示する。
【０００３】
これらの機器で送受信されるＨＤＭＩデータは、ＨＤＣＰ（High-bandwidth Digital Content Protection system）によって暗号化されており、ＨＤＭＩ送信部とＨＤＭＩ受信部との間でＨＤＣＰ認証に成功して初めて、ＨＤＭＩデータが送受信されるようになっている（下記特許文献１）。従って、ＨＤＭＩ送信部とＨＤＭＩ受信部との間でＨＤＣＰ認証に失敗した場合は、ＨＤＭＩデータが送信されない。
【０００４】
ＤＶＤプレーヤからディスプレイ装置に送信される映像データの解像度及び色深度（これらを総称して送信クロック周波数設定値という。）は、ユーザ操作によって設定可能である。例えば、ＤＶＤプレーヤは、ディスプレイ装置からＥＤＩＤ（Extended display identification data）を取得し、ＥＤＩＤに含まれているディスプレイ装置が対応可能な解像度及び色深度を読み出す。そして、ＤＶＤプレーヤは、自身が対応可能な解像度及び色深度と、ディスプレイ装置が対応可能な解像度及び色深度とを比較して、共通の対応解像度及び色深度を表示して、ユーザに所望の解像度及び色深度を選択させる。
【０００５】
ここで、ＤＶＤプレーヤはＨＤＭＩケーブルのＴＭＤＳラインを介してディスプレイ装置にＨＤＭＩデータを送信するが、ＨＤＭＩケーブルの長さが長い（例えば５ｍ以上である）と、映像データの解像度が高く、かつ、色深度が深い場合（つまり、送信クロック周波数が高い場合）、映像データを正確にＤＶＤプレーヤからディスプレイ装置に送信できなくなる。その結果、ディスプレイ装置が正確に映像データを受信できない又は復号化できなくなり、ディスプレイ装置が映像を表示できない又は表示される映像にノイズが生じるという問題が生じる。従って、ユーザ操作によって解像度及び色深度を選択し直す必要があり、その操作が非常に煩雑である。しかも、解像度及び色深度の組合せによって正確に映像データを送信できるかは、ディスプレイ装置に映像を表示させてユーザが目視しないと分からないので、場合によって複数回にわたって解像度及び色深度を選択し直す必要が生じる。
【０００６】
【特許文献１】特開２００７−２８８２４７号公報
【発明の開示】
【発明が解決しようとする課題】
【０００７】
本発明は、上記従来の課題を解決するためになされたものであり、その目的は、ユーザ操作によって選択された送信クロック周波数設定値に調整された画像データを画像送信装置から画像受信装置に正確に送信することができる画像送信装置を提供することである。
【課題を解決するための手段】
【０００８】
本発明の好ましい実施形態による画像送信装置は、画像受信装置に接続する接続手段と、前記画像受信装置に画像データを送信する送信手段と、複数の送信クロック周波数設定値について、各送信クロック周波数設定値に調整された画像データを前記送信手段が送信することにより、前記画像受信装置と前記送信クロック周波数設定値に調整された画像データに基づいた認証を実行する認証手段と、  前記認証手段による認証によって、認証に成功した前記送信クロック周波数設定値をユーザ操作によって設定可能にすると共に、認証に失敗した前記クロック周波数設定値をユーザ操作によって設定不可能にする設定可能化手段とを備える。
【０００９】
送信クロック周波数設定値に調整された画像データを画像受信装置に送信し、画像受信装置と画像データに基づいた認証を実行することによって、画像受信装置が画像データを正確に受信又は復号化可能な送信クロック周波数設定値を判別することができる。そして、認証に成功した送信クロック周波数設定値のみをユーザ操作によって設定可能にすることによって、ユーザ操作によって設定されたクロック周波数設定値に調整された画像データは画像受信装置によって確実に受信及び復号化することができる。
【００１０】
好ましい実施形態においては、前記認証手段が、前記画像受信装置とＨＤＣＰ第３認証を実行する。
【００１１】
好ましい実施形態においては、前記送信クロック周波数設定値が、解像度及び色深度の少なくとも一方を含む。
【００１２】
好ましい実施形態においては、前記画像受信装置から前記画像受信装置が対応可能な送信クロック周波数設定値を取得する取得手段をさらに備え、前記認証手段が、前記画像受信装置が対応可能な送信クロック周波数設定値と、前記画像送信装置が対応可能な送信クロック周波数設定値とに共通する送信クロック周波数設定値について、前記認証を前記画像受信装置と実行する。
【００１３】
この場合、画像受信装置が対応していない（例えば、受信、復号化又は表示できない）送信クロック周波数設定値は認証手段による認証の対象から除外されるので、認証の対象の送信クロック周波数設定値の数を削減することができ、全ての認証処理を実行し終えるまでの時間を短縮することができる。
【発明の効果】
【００１４】
認証に成功した送信クロック周波数設定値のみをユーザ操作によって設定可能にすることによって、ユーザ操作によって選定されたクロック周波数設定値に調整された画像データは画像受信装置によって確実に受信及び復号化することができる。
【発明を実施するための最良の形態】
【００１５】
以下、本発明の好ましい実施形態による画像送信装置（ソース機器、ＤＶＤプレーヤ）、及び、画像受信装置（シンク機器、ディスプレイ装置）を備える画像送受信システムついて、図面を参照して具体的に説明するが、本発明はこれらの実施形態には限定されない。本例において、画像データ（以下、映像データという場合がある。）は、音声データとともにＨＤＭＩデータとして送受信される。また、画像受信装置は、リピーター機器（ＡＶアンプ等）の意味も含んでおり、この場合には、ＤＶＤプレーヤ−ＡＶアンプ−ディスプレイ装置の順に接続される。
【００１６】
図１は、ＤＶＤプレーヤ１０及びディスプレイ装置３０の構成を示す要部ブロック図である。ＤＶＤプレーヤ１０及びディスプレイ装置３０は、例えばＨＤＭＩ規格に準拠しており、ＨＤＭＩケーブルを介して相互に接続されている。
【００１７】
［ＤＶＤプレーヤ１０の構成］
ＤＶＤプレーヤ１０は、再生部１１と、解像度変換部１２、ＨＤＭＩ送信部１３と、システム制御部１４と、操作表示部１５と、メモリ１６と、コネクタ部１７とを有している。
【００１８】
再生部１１は、ＤＶＤディスク（以下、単にディスクという。）に記録されている映像データをディスクから読み出して、復号化し、解像度変換部１２に供給する。また、再生部１１は、ディスクに記録されている音声データをディスクから読み出して、復号化し、ＨＤＭＩ送信部１３に供給する。再生部１１は、図示しない光ピックアップ、サーボ回路、ＭＰＥＧデコーダ等を含む。
【００１９】
解像度変換部１２は、再生部１１から供給された映像データの解像度及び色深度を判別する。また、解像度変換部１２は、映像データの解像度及び色深度を、システム制御部１４からの指示により、ユーザ操作によって設定された解像度及び色深度に変換する。解像度変換部１２によって解像度及び色深度が変換された映像データは、ＨＤＭＩ送信部１３に供給される。ここで、解像度及び色深度のことを総称して、「送信クロック周波数設定値」と定義する。解像度と色深度とは送信クロック周波数に影響を与える設定値だからである。例えば、解像度が高い、色深度が深い方が、送信クロック周波数が高くなる。
【００２０】
ＨＤＭＩ送信部１３は、解像度変換部１２から供給された映像データ、及び、再生部１１から供給された音声データを、システム制御部１４からの指示により、ＨＤＭＩ規格のデータ（以下、ＨＤＭＩデータ）に変換する。また、ＨＤＭＩ送信部１３は、ＨＤＭＩデータをＨＤＣＰ規格に基づいて暗号化する。また、ＨＤＭＩ送信部１３は、ＤＤＣラインを介して、ディスプレイ装置３０のレジスタ３１ａから認証情報、リピータービット、ＨＤＣＰ第３認証におけるＲｉ’等を読み出して、ＨＤＣＰ認証を実行する。
【００２１】
ＨＤＣＰ認証は、ＨＤＣＰ第１認証、ＨＤＣＰ第２認証、及び、ＨＤＣＰ第３認証を含む。各ＨＤＣＰ認証の詳細については、High-bandwidth Digital Content Protection Specification Rev. 1.3に詳細に記載されているのでその説明を援用し、ここでは簡単に説明する。
【００２２】
ＨＤＣＰ第１認証において、ＨＤＭＩ送信部１３は、接続されている機器（ここではディスプレイ装置３０）のレジスタ３１ａから認証情報を読み出す。ＨＤＭＩ送信部１３は、読み出した認証情報が正当であれば、ＨＤＭＩ受信部３１との認証に成功する。ＨＤＭＩ送信部１３は、読み出した認証情報が不正である、又は、認証情報を読み出すことができなければ、ＨＤＭＩ受信部３１との認証に失敗する。認証情報は、例えば、ＨＤＣＰ規格で定められているＫＳＶ（キーセレクトベクター）等を含む。
【００２３】
また、ＨＤＭＩ送信部１３は接続されている機器からリピータービットを読み出す。リピータービットは、その機器がリピーター機器（すなわち、他の機器にＨＤＭＩデータを送信可能な機器）であるか、シンク機器（すなわち、他の機器にＨＤＭＩデータを送信不可能な機器）であるかを示す機器情報であり、値が「１」であるときリピーター機器であることを示し、値が「０」であるときシンク機器であることを示す。
【００２４】
ＨＤＣＰ第２認証は、接続されている機器がリピーター機器である場合に必要な認証である。ＨＤＣＰ第２認証では、ＤＶＤプレーヤ１０にリピーター機器であるＡＶアンプ（図示せず）が接続され、ＡＶアンプにディスプレイ装置３０が接続されている場合、ＡＶアンプの認証情報とディスプレイ装置３０の認証情報とを確認し、これらが正当であれば、ＡＶアンプとの認証に成功する。
【００２５】
ＨＤＣＰ第３認証は、画像データに基づいた認証であり、映像データのフレーム番号毎に実行され、映像データのフレームとフレームとの間の垂直ブランキング期間に実行される。ＨＤＭＩ送信部１３とＨＤＭＩ受信部３１とは、新しいＫｉ、Ｍｉ、Ｒｉを計算する(ｉはフレーム番号を表す)。これら３つの値は、「HDCP BlkCipher」と呼ばれ、ＨＤＣＰにおいて使用されるブロック暗号を用いて計算される。Ｋｉ、Ｍｉは、それぞれＨＤＣＰに使用される暗号化方式を初期化するために使用され、Ｒｉは、リンクの整合性を検証するために使用される。ＨＤＭＩ送信部１３は、ＨＤＭＩ受信部３１から受信したＲｉ’と自身のＲｉをチェックし、ＨＤＭＩ受信部３１が映像データを受信および復号化できるかどうかを判断する。
【００２６】
ＨＤＭＩ送信部１３は、ＨＤＭＩデータを送受信するＴＭＤＳライン（通常は複数存在するが図１では簡単のため１本のラインのみを記載している）、及び、接続の有無を判断するためのホットプラグを介して、ＤＶＤプレーヤ１０のＨＤＭＩ受信部３１に接続される。また、ＨＤＭＩ送信部１３は、認証情報やＥＤＩＤを読み出すためのＤＤＣラインを介してディスプレイ装置３０のＨＤＭＩ受信部３１、ＰＲＯＭ３４に接続されている。
【００２７】
システム制御部１４は、内蔵又は接続されたメモリに格納されているＤＶＤプレーヤの動作プログラムに基づいて、再生部１１、解像度変換部１２、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２８】
システム制御部１４は、ＣＥＣラインを介してディスプレイ装置３０のシステム制御部３３に接続され、システム制御部３３とコマンドおよび／またはデータを送受信する。また、システム制御部１４は、ＤＤＣラインを介して、ディスプレイ装置３０のＰＲＯＭ３４に接続され、ＰＲＯＭ３４に記憶されたＥＤＩＤを読み出す。
【００２９】
システム制御部１４は、ＤＶＤプレーヤ１０が対応可能（例えば、再生、送信可能）な解像度及び色深度の全ての組合せについて、実際にその解像度及び色深度の組合せに設定して、設定された解像度及び色深度に変換された映像データをディスプレイ装置３０に送信することにより、ＨＤＣＰ第３認証を実行し、認証に成功した解像度及び色深度の組合せを図９に示す設定可能値テーブルに登録する。設定可能値テーブルに登録された解像度及び色深度の組合せが、図１０の解像度設定画面に表示され、ユーザ操作によって設定可能になる。認証に失敗した解像度及び色深度の組合せは設定可能値テーブルに登録されず、解像度設定画面に表示されず、ユーザ操作によって設定不可能になる。
【００３０】
好ましくは、システム制御部１４は、ディスプレイ装置３０のＰＲＯＭ３４からＥＤＩＤを読み出して、ＥＤＩＤに含まれているディスプレイ装置３０が対応可能な（受信、復号化、表示可能な）解像度及び色深度を読み出す。システム制御部１４は、ＤＶＤプレーヤ１０及びディスプレイ装置３０が共通して対応可能な共通解像度を抽出する。同様に、システム制御部１４は、ＤＶＤプレーヤ１０及びディスプレイ装置３０が共通して対応可能な共通色深度を抽出する。そして、システム制御部１４は、抽出した共通解像度及び共通色深度の全ての組合せについて、実際にその共通解像度及び共通色深度の組合せに設定して、ＨＤＣＰ第３認証を実行し、認証に成功した共通解像度及び共通色深度の組合せのみを設定可能値テーブルに登録する。
【００３１】
上記の通り、システム制御部１４は、設定可能値テーブルに登録した解像度及び色深度の組合せについてのみ、操作表示部１５に表示し、ユーザ操作によって選択及び設定可能な状態に制御する。これにより、ＨＤＣＰ第３認証が成功する、すなわち、ディスプレイ装置３０が映像データを受信、復号化することができる解像度及び色深度のみがユーザ操作によって設定可能となるので、確実にディスプレイ装置３０は映像データを受信、復号化することができる。
【００３２】
［ディスプレイ装置３０の構成］
ディスプレイ装置３０は、ＨＤＭＩ受信部３１と、表示部３２と、システム制御部３３と、メモリ（ＥＤＩＤ  ＰＲＯＭ、以下、ＰＲＯＭとする）３４と、操作部３５と、音声処理部３６と、スピーカー３７と、コネクタ部３８とを有する。
【００３３】
ＨＤＭＩ受信部３１は、ＤＶＤプレーヤ１０のＨＤＭＩ送信部１３から送信されたＨＤＭＩデータを受信して、ＨＤＣＰで暗号化されたＨＤＭＩデータを復号化する。また、ＨＤＭＩ受信部３１は、受信したＨＤＭＩデータから元の映像データを生成し、表示部３２に供給する。また、ＨＤＭＩ受信部３１は、ＨＤＭＩデータから元の音声データを生成して、音声処理部３６に供給する。
【００３４】
ＨＤＭＩ受信部３１はレジスタ（記憶素子）３１ａを有しており、レジスタ３１ａにはディスプレイ装置３０の認証情報が予め登録されている。ＨＤＣＰ第１（又は第２）認証において、ＨＤＭＩ受信部３１は、レジスタ３１ａに登録されている自身の認証情報が、ＤＶＤプレーヤ１０のＨＤＭＩ送信部１３によって読み出される。
【００３５】
ＨＤＭＩ受信部３１は、ＨＤＣＰ第３認証において、ＤＶＤプレーヤ１０のＨＤＭＩ送信部１３から送信される映像データの垂直ブランキング期間において映像データに基づいてフレーム毎にＲｉ’を生成し、レジスタ３１ａに登録する。レジスタ３１ａに登録されたＲｉ’はＤＶＤプレーヤ１０のＨＤＭＩ送信部１３によって例えば２秒ごとに読み出されてＲｉと比較されることにより、ＨＤＭＩ受信部１３がＨＤＭＩデータを正確に受信、復号化できているかが確認される。
【００３６】
表示部３２は、ＨＤＭＩ受信部３１から映像データが供給され、当該映像データに基づいて映像を表示するものであり、例えば、ＬＣＤまたはＣＲＴ等である。
【００３７】
音声処理部３６は、ＨＤＭＩ受信部３１から供給された音声データを、信号処理、増幅処理、Ｄ／Ａ変換等の処理を実行し、スピーカー３７に供給する。
【００３８】
システム制御部３３は、内蔵又は接続されたメモリに格納されたディスプレイ装置の動作プログラムに基づいて、ＨＤＭＩ受信部３１、表示部３２、ＰＲＯＭ３４、音声処理部３６等を制御するものであり、例えば、マイクロコンピュータやＣＰＵ等である。システム制御部３３は、操作部３５からの操作入力または各部からの制御信号およびデータに基づいて各種処理を実行する。
【００３９】
［動作］
図２はＤＶＤプレーヤ１０の処理を説明するフローチャートである。システム制御部１４は、ＨＤＣＰ第３認証を実行する対象の解像度の番号を示すｎを０（初期値）に設定する（Ｓ１）。同じく、制御部１４は、ＨＤＣＰ第３認証を実行する対象の色深度の番号を示すｍを０（初期値）に設定する（Ｓ１）。
【００４０】
システム制御部１４は、接続されているディスプレイ装置３０からＥＤＩＤを取得可能であるか否かを判断する（Ｓ２）。ＥＤＩＤを取得可能であれば（Ｓ２でＹＥＳ）、システム制御部１４はディスプレイ装置３０のＰＲＯＭ３４からＥＤＩＤを取得する（Ｓ３）。システム制御部１４は、ＥＤＩＤに含まれているディスプレイ装置３０が対応可能な解像度Ｂを読み出し、図３に示すようにメモリに記憶する。本例では、ディスプレイ装置３０が対応可能な解像度Ｂは、４８０ｉ，４８０ｐ，１０８０ｉ，７２０ｐ，１０８０ｐである。同様に、システム制御部１４は、ＥＤＩＤに含まれているディスプレイ装置３０が対応可能な色深度ｂを読み出し、図４に示すようにメモリに記憶する。本例では、ディスプレイ装置３０が対応可能な色深度ｂは、２４ｂｉｔ，３０ｂｉｔ，３６ｂｉｔである。
【００４１】
一方、ＥＤＩＤを取得可能でなければ（Ｓ２でＮＯ）、システム制御部１４は、ＤＶＤプレーヤ１０が対応可能な解像度Ａ（図５参照）を、ディスプレイ装置３０が対応可能な解像度Ｂと推定する（Ｓ４）。同じく、システム制御部１４は、ＤＶＤプレーヤ１０が対応可能な色深度ａ（図６参照）を、ディスプレイ装置３０が対応可能な色深度ｂと推定する（Ｓ４）。
【００４２】
本例では、ＤＶＤプレーヤ１０が対応可能な解像度Ａは、４８０ｐ，７２０ｐ，１０８０ｉ，１０８０ｐ，１４４０＊４８０ｐである。また、ＤＶＤプレーヤ１０が対応可能な色深度ａは、２４ｂｉｔ，３０ｂｉｔ，３６ｂｉｔ，４８ｂｉｔである。
【００４３】
システム制御部１４は、ユーザ操作によって解像度（及び色深度）設定画面への移行指示が入力されたかを監視している（Ｓ５）。入力された場合（Ｓ５でＹＥＳ）、システム制御部１４は、ＤＶＤプレーヤ１０が対応可能な解像度Ａと、ディスプレイ装置３０が対応可能な解像度Ｂとを比較し、その共通解像度Ｃを図７に示すようにメモリに記憶する（Ｓ６）。共通解像度をＣｎ（ｎは０から始まる整数）で表し、本例では、４８０ｐ（Ｃ０），７２０ｐ（Ｃ１），１０８０ｉ（Ｃ２），１０８０ｐ（Ｃ３）である。
【００４４】
システム制御部１４は、ＤＶＤプレーヤ１０が対応可能な色深度ａと、ディスプレイ装置３０が対応可能な色深度ｂとを比較し、その共通色深度ｃを図８に示すようにメモリに記憶する（Ｓ７）。共通色深度をｃｍ（ｍは０から始まる整数）で表し、本例では、２４ｂｉｔ（ｃ０）、３０ｂｉｔ（ｃ１）、３６ｂｉｔ（ｃ２）である。
【００４５】
続いて、ＨＤＭＩ送信部１３は、システム制御部１４からの指示に応答し、ディスプレイ装置３０のＨＤＭＩ受信部３１との間でＨＤＣＰ第１認証を実行する（Ｓ８）。詳細には、ＨＤＭＩ送信部１３は、ＨＤＭＩ受信部３１のレジスタ３１ａからディスプレイ装置３０の認証情報を取得する。そして、ＨＤＭＩ送信部１３は、取得した認証情報が正当であるか否かを判断する（Ｓ９）。なお、ＤＶＤプレーヤ１０とディスプレイ装置３０との間にＡＶアンプが接続される場合には、ＨＤＭＩ送信部１３は、ＨＤＣＰ第１認証及びＨＤＣＰ第２認証を実行する。
【００４６】
取得した認証情報が正当でない場合（Ｓ９でＮＯ）、ＨＤＣＰ認証に失敗するので、処理を終了する。一方、取得した認証情報が正当である場合（Ｓ９でＹＥＳ）、ＨＤＣＰ認証に成功するので、ＨＤＭＩ送信部１３は、図７の共通解像度Ｃｎと、図８の共通色深度ｃｍに解像度変換部１２によって変換された映像データを含むＨＤＭＩデータをディスプレイ装置３０に送信する（Ｓ１０）。ここでは、Ｓ１でｎ＝０，ｍ＝０に設定されているので、共通解像度４８０ｐ（Ｃ０）、共通色深度２４ｂｉｔ（ｃ０）の映像データをディスプレイ装置３０に送信する。
【００４７】
ＨＤＭＩ送信部１３は、ディスプレイ装置３０のＨＤＭＩ受信部３１とＨＤＣＰ第３認証を実行する（Ｓ１１）。詳細には、ディスプレイ装置３０のＨＤＭＩ受信部３１は、共通解像度４８０ｐ（Ｃ０）、共通色深度２４ｂｉｔ（ｃ０）の映像データを受信すると、ＨＤＭＩデータを復号化したあと、映像データの垂直ブランキング期間において、映像データに基づいてフレーム毎にＲｉ’を生成し、レジスタ３１ａに登録する。一方、ＤＶＤプレーヤ１０のＨＤＭＩ送信部１３は、送信した映像データに基づいてＲｉを生成しており、レジスタ３１ａからＲｉ’を取得して、Ｒｉ＝Ｒｉ’であるか否かを、例えば２秒間間隔で５回程度判断する（Ｓ１２）。
【００４８】
Ｒｉ＝Ｒｉ’が５回継続して確認できると（Ｓ１２でＹＥＳ）、共通解像度Ｃｎ、共通色深度ｃｍによって変換された映像データをＨＤＭＩ受信部３１が正確に受信して復号化することができると判断されるので、システム制御部１４は、共通解像度Ｃｎ、共通色深度ｃｍをユーザ操作によって設定可能な組合せとして、図９に示す設定可能値テーブルに登録する（Ｓ１３）。その後、Ｓ１４に進む。
【００４９】
一方、Ｒｉ＝Ｒｉ’を確認できた回数が５回未満であると（Ｓ１２でＮＯ）、共通解像度Ｃｎ、共通色深度ｃｍによって変換された映像データをＨＤＭＩ受信部３１が正確に受信して復号化することができないと判断されるので、システム制御部１４は、共通解像度Ｃｎ、共通色深度ｃｍをユーザ操作によって設定可能な組合せとして、図９に示す設定可能値テーブルに登録せずに、Ｓ１４に進む。
【００５０】
Ｓ１４〜Ｓ１７では、共通解像度の番号ｎと共通色深度の番号ｍとをインクリメントして、Ｓ８に戻ることにより、図７の共通解像度Ｃｎと図８の共通色深度ｃｍとの全ての組合せについて、Ｓ８〜Ｓ１３の処理を実行し、ＨＤＣＰ第３認証が成功した（すなわち、ＨＤＭＩ受信部３１が正確に映像データを受信して復号化できた）共通解像度Ｃｎと共通色深度ｃｍとの組合せを全て抽出して、図９の設定可能値テーブルに登録する。
【００５１】
詳細には、Ｓ１４でｍが共通解像度の番号の最大値Ｄｍａｘ（図７では３）に達したか否かを判断し、達していなければ（Ｓ１４でＮＯ）、ｍをインクリメントして（Ｓ１５）、Ｓ８に戻る。一方、達した場合（Ｓ１４でＹＥＳ）、Ｓ１６でｎが共通色深度の番号の最大値Ｒｍａｘ（図８では２）に達したかを判断し、達していなければ（Ｓ１６でＮＯ）、ｎをインクリメントし（Ｓ１７）、Ｓ８に戻る。一方、達していれば（Ｓ１６でＹＥＳ）、処理を終了する。
【００５２】
以上の処理によって、ＨＤＭＩ受信部３１が正確に映像データを受信して復号化できた共通解像度Ｃｎと共通色深度ｃｍとの組合せを図９の設定可能値テーブルに登録することができる。図９の例では、480p／24bit、480p／30bit、480p／36bit、720p／24bit、720p／30bit、1080i／24bit、1080p／24bitが設定可能値テーブルに登録されている。
【００５３】
その後、システム制御部１４は、設定可能値テーブルに登録されている共通解像度と共通色深度との組合せを図１０に示す解像度設定画面に表示し、ユーザ操作によって所望の解像度と色深度との組合せを選択する。システム制御部１４は、選択された解像度及び色深度に映像データを変換するように解像度変換部１２を制御する。これにより、ＨＤＭＩ送信部１３は、設定された解像度及び色深度に変換された映像データをＨＤＭＩ受信部３１に送信することができる。設定された解像度及び色深度は、事前に、ＨＤＣＰ第３認証が成功した（すなわち、ＨＤＭＩ受信部３１が正確に映像データを受信して復号化できた）解像度と色深度との組合せであるので、ＨＤＭＩ受信部３１は正確に映像データを受信して復号化することができる。
【００５４】
なお、図２の処理では、ディスプレイ装置３０のＥＤＩＤに含まれているディスプレイ装置３０が対応可能な解像度及び色深度と、ＤＶＤプレーヤ１０が対応可能な可能像度及び色深度との、共通解像度及び共通色深度から設定可能値を抽出しているが、ＤＶＤプレーヤ１０が対応可能な可能像度及び色深度のみの中から設定可能値を抽出してもよい。この場合、図２のＳ２〜Ｓ４、Ｓ６、Ｓ７の処理が不要になる。
【００５５】
また、図２の処理では、解像度と色深度との組合せについてＨＤＣＰ第３認証を実行し、解像度と色深度との組合せを設定可能値テーブルに登録しているが、解像度及び色深度の一方のみしかユーザ操作によって設定できないＤＶＤプレーヤの場合には、対応可能な解像度のみによってＨＤＣＰ第３認証を実行し、解像度のみを設定可能値リストに登録してもよく、対応可能な色深度のみによってＨＤＣＰ第３認証を実行し、色深度のみを設定可能値リストに登録してもよい。
【００５６】
以上、本発明の好ましい実施形態を説明したが、本発明はこれらの実施形態には限定されない。例えば、認証情報、リピータービット、Ｒｉ’は、レジスタに登録されておらず、メモリ等に登録されていてもよい。また、ＨＤＭＩ送信部がＨＤＭＩ受信部から認証情報を取得して認証処理を実行しているが、ＨＤＭＩ送信部とＨＤＭＩ受信部とが相互に認証情報を交換し、認証処理を実行してもよい。また、認証処理は、システム制御部同士が実行してもよい。また、ＤＶＤプレーヤとディスプレイ装置との間に、１又は複数のＡＶアンプが接続されている場合も同様である。この場合、ＡＶアンプが、上記のディスプレイ装置の動作を実行することになる。画像送信装置は、ＤＶＤプレーヤに限定されず、ＢＤプレーヤ、セットトップボックス、ＩＰ端末などでもよい。また、ＤＶＤプレーヤ、ディスプレイ装置の上記動作をコンピュータに実行させるためのプログラムおよびこれを記録した記録媒体という形態で提供されてもよい。また、ＤＶＤプレーヤ又はディスプレイ装置の上記動作の一部のみのプログラムを、ＤＶＤプレーヤやディスプレイ装置にファームウェアアップデートという形態で提供されてもよい。さらには、ＤＶＤプレーヤ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００５７】
本発明は、ＤＶＤプレーヤおよびディスプレイ装置等に好適に採用され得る。
【図面の簡単な説明】
【００５８】
【図１】本発明の好ましい実施形態によるＤＶＤプレーヤ１０およびディスプレイ装置３０の構成を示すブロック図である。
【図２】ＤＶＤプレーヤ１０の処理を示すフローチャートである。
【図３】ディスプレイ装置３０の対応解像度を示す図である。
【図４】ディスプレイ装置３０の対応色深度を示す図である。
【図５】ＤＶＤプレーヤ１０の対応解像度を示す図である。
【図６】ＤＶＤプレーヤ１０の対応色深度を示す図である。
【図７】ＤＶＤプレーヤ及びディスプレイ装置３０が共に対応可能な共通解像度を示す図である。
【図８】ＤＶＤプレーヤ及びディスプレイ装置３０が共に対応可能な共通色深度を示す図である。
【図９】設定可能値テーブルを示す図である。
【図１０】解像度（及び色深度）設定画面を示す図である。
【符号の説明】
【００５９】
１０            ＤＶＤプレーヤ
１１            再生部
１２            解像度変換部
１３            ＨＤＭＩ送信部
１４            システム制御部
３０            ディスプレイ装置
３１            ＨＤＭＩ受信部
３１ａ          レジスタ
３３            システム制御部
【図１】
2010041091.tif 000003
【図２】
2010041091.tif 000004
【図３】
2010041091.tif 000005
【図４】
2010041091.tif 000006
【図５】
2010041091.tif 000007
【図６】
2010041091.tif 000008
【図７】
2010041091.tif 000009
【図８】
2010041091.tif 000010
【図９】
2010041091.tif 000011
【図１０】
2010041091.tif 000012